(57)【特許請求の範囲】
【請求項１】
外部の商用電源から供給される交流電力を直流電力に変換する電源回路を有し、この電源回路から出力される直流電源の電圧を昇圧する昇圧回路と、この昇圧回路で昇圧された直流電力を元にＬＥＤに流れる電流値を所定の値に制御する定電流回路とを備えると共に、上記昇圧回路と並列に充電回路を設け、この充電回路によって常時充電される蓄電部を備え、上記商用電源からの交流電力の供給が停止すると、上記蓄電部に蓄電されている電力を上記昇圧回路で昇圧して上記ＬＥＤを発光させる照明装置において、昇圧比が上記昇圧回路の昇圧比より高いテスト用昇圧回路を設け、上記蓄電部に充電されている電力を上記昇圧回路とテスト用昇圧回路とのいずれか一方に択一的に供給するように切り替える切替手段を設け、上記商用電源からの電力供給が停止されている状態で、上記蓄電部の充電量が少ないため蓄電部の電圧が規定の電圧より低い場合に、蓄電部の電力をテスト用昇圧回路に供給し、テスト用昇圧回路で昇圧してＬＥＤを点灯させることを特徴とする照明装置。
【請求項２】
外部から押し操作できるテスト用スイッチを設け、このテスト用スイッチが押し操作されると上記切替手段により、上記蓄電部に充電されている直流電力を上記テスト用昇圧回路に供給することを特徴とする請求項１に記載の照明装置。
【請求項３】
上記テスト用スイッチが押し操作されると、上記蓄電部に充電されている直流電力を上記テスト用昇圧回路に供給する状態を、テスト用スイッチに対する押し操作を解除したあと、所定時間継続することを特徴とする請求項２に記載の照明装置。
【請求項４】
上記蓄電部の電圧が上記規定の電圧より高い場合には、蓄電部の直流電力を上記テスト用昇圧回路に供給することを禁止する切替禁止手段を設けたことを特徴とする請求項１から請求項３のいずれかに記載の照明装置。
【発明の詳細な説明】
【技術分野】
【０００１】
本発明は、ＬＥＤを発光源として、外部の商用電源が停電すると、蓄電部に充電されている電力で発光源を発光させる照明装置に関する。
【背景技術】
【０００２】
近年、ＬＥＤを発光源とする照明装置が多数提案されている。このような照明装置のなかで、天井面などに固定して使用されるものでは、外部の商用電源から供給される交流電力を元にＬＥＤを発光させている。具体的には、電源部を備えており、その電源部で、商用電源からの交流電力を所定の電圧の直流電力に変換し、その直流電力を電流制御してＬＥＤに供給するように構成されている。
【０００３】
このように、商用電力を電源とする場合、商用電源からの電力供給が停止する、いわゆる停電が生じると、ＬＥＤが消灯する。停電が夜間などに発生すると、室内が突然暗闇となり利便性が損なわれる。そこで、照明器具内に常時充電される蓄電部を設け、停電が発生した場合には、蓄電部に充電されている電力を用いてＬＥＤを発光させるように構成されているものが知られている（例えば、特許文献１参照）。
【先行技術文献】
【特許文献】
【０００４】
【特許文献１】特開２０１４−２２００６３号公報（図４、[００１６]）
【発明の概要】
【発明が解決しようとする課題】
【０００５】
このような照明装置では、照明装置を室内に設置し、上記商用電源からの電力供給を開始した時点から蓄電部への充電が開始される。一方、停電の発生はきわめて希であるため、照明装置が設置されてから蓄電部が満充電されるまで、数日を要しても実質的な問題は生じない。また、充電部を急速に充電するためには充電回路の能力を高めなければならず、コストが高くなるため、実際には充電回路の能力は低く設定されている。従って、照明装置を設置してから数時間、あるいは１日程度の間は蓄電部に十分な電力が充電されておらず、そのため、外部からの電力供給が停止してもＬＥＤを発光させることができない。
【０００６】
上述の屋内に設置される照明器具は、電気工事業者が照明器具を家屋内に取り付ける工事を行う場合が多い。このような工事業者が取り付け工事を行う場合には、取り付け完了後に照明器具が正常に作動するかをテストする。壁面などに設けた点消灯用スイッチをオンオフすることによって照明器具のＬＥＤが点消灯することは工事完了後直ちにテストすることができるが、擬似的に停電状態にするため、ブレーカを落としたとしても、上述のように蓄電部には十分な電力が充電されていないので、ＬＥＤが点灯しない。従って、停電発生時にＬＥＤが点灯するか否かを、工事業者は設置完了後、すぐにテストできないという不具合が生じる。
【０００７】
そこで本発明は、上記の問題点に鑑み、照明器具の設置工事が終了したあと、短時間で停電時のＬＥＤの点灯をテストすることのできる照明装置を提供することを課題とする。
【課題を解決するための手段】
【０００８】
上記課題を解決するために本発明による照明装置は、外部の商用電源から供給される交流電力を直流電力に変換する電源回路を有し、この電源回路から出力される直流電源の電圧を昇圧する昇圧回路と、この昇圧回路で昇圧された直流電力を元にＬＥＤに流れる電流値を所定の値に制御する定電流回路とを備えると共に、上記昇圧回路と並列に充電回路を設け、この充電回路によって常時充電される蓄電部を備え、上記商用電源からの交流電力の供給が停止すると、上記蓄電部に蓄電されている電力を上記昇圧回路で昇圧して上記ＬＥＤを発光させる照明装置において、昇圧比が上記昇圧回路の昇圧比より高いテスト用昇圧回路を設け、上記蓄電部に充電されている電力を上記昇圧回路とテスト用昇圧回路とのいずれか一方に択一的に供給するように切り替える切替手段を設け、上記商用電源からの電力供給が停止されている状態で、上記蓄電部の充電量が少ないため蓄電部の電圧が規定の電圧より低い場合に、蓄電部の電力をテスト用昇圧回路に供給し、テスト用昇圧回路で昇圧してＬＥＤを点灯させることを特徴とする。
【０００９】
本来の昇圧回路では昇圧比が低いため、十分に充電されていない蓄電部の電力ではＬＥＤを点灯できないので、昇圧比の高いテスト時専用のテスト用昇圧回路を設け、そのテスト用昇圧回路で昇圧してＬＥＤを発光させる。なお、テスト用昇圧回路の昇圧比は常用の昇圧回路の昇圧比より高いが、テスト時はＬＥＤを高い輝度で点灯させる必要は無いので、昇圧後の出力容量は小さくてよい。
【００１０】
なお、テスト時のみテスト用昇圧回路を使用する必要があるので、外部から押し操作できるテスト用スイッチを設け、このテスト用スイッチが押し操作されると上記切替手段により、上記蓄電部に充電されている直流電力を上記テスト用昇圧回路に供給するように構成することが望ましい。
【００１１】
また、テスト用スイッチを押し操作できる姿勢ではＬＥＤの発光を確認できない場合がある。そのような場合には、上記テスト用スイッチが押し操作されると、上記蓄電部に充電されている直流電力を上記テスト用昇圧回路に供給する状態を、テスト用スイッチに対する押し操作を解除したあと、所定時間継続させることが望ましい。
【００１２】
なお、蓄電部に十分に充電され、蓄電部の電圧が高い状態で、その直流電力をテスト用昇圧回路に供給すると、上記定電流回路に設計値以上の電圧が印加されるおそれが生じる。このような場合には、上記蓄電部の電圧が上記規定の電圧より高い場合には、蓄電部の直流電力を上記テスト用昇圧回路に供給することを禁止する切替禁止手段を設けることが望ましい。
【発明の効果】
【００１３】
以上の説明から明らかなように、本発明は、照明器具を設置した直後で蓄電部に十分な電力が充電されていない状態でも、停電時にＬＥＤが点灯することを確認することができる。
【図面の簡単な説明】
【００１４】
【図１】本発明の一実施の形態の構成を示すブロック図
【発明を実施するための形態】
【００１５】
図１を参照して、１は外部の商用電源で有り、１００ボルトの交流電力を供給するものである。本発明による照明装置２内には、この商用電源１からの交流電力を所定の電圧の直流電力として出力する電源回路２１が備えられている。また、外部の点消灯用の壁スイッチ１１のオンオフ状態を検知する壁スイッチ判別回路２２が設けられている。このように、照明装置２には３線が配線されている。
【００１６】
電源回路２１は壁スイッチ１１のオンオフ状態の如何に関わらず、商用電源１が停電しない限り常時直流電力を出力し続ける。その直流電力は昇圧回路２３で１次昇圧されたあと、昇圧定電流回路２４で２次昇圧することによってＬＥＤ２５に流れる電流を所定の電流値に制御して、ＬＥＤ２５を発光させる。
【００１７】
但し、ＬＥＤ２５の輝度はＬＥＤ２５に流れる電流値によって増減するため、ＬＥＤ２５の輝度、すなわちＬＥＤ２５に流れる電流値は、輝度設定回路２６からの信号によって決定される。また、この輝度設定回路２６はＬＥＤ２５の電流値を下げて消灯することができるので、壁スイッチ１１がオフになると、壁スイッチ判別回路２２からの信号を受けて、ＬＥＤ２５を消灯させる。逆に、壁スイッチ１１がオンされると、壁スイッチ判別回路２２からの信号によって、ＬＥＤ２５に流れる電流値が予め設定されている電流値になるように、昇圧定電流回路２４での２次昇圧比を調節する。
【００１８】
上記電源回路２１の出力側には、上記昇圧回路２３の他に充電回路２７が並列に接続されている。この充電回路２７は商用電源１が稼働している状態では蓄電部２８を常時充電するもので、商用電源１が停電すると、蓄電部２８に蓄電されている電力を昇圧回路２３に供給して、商用電源１が停電している状態でＬＥＤ２５を継続して発光させ続ける。
【００１９】
ところで、蓄電部２８は６個の電気二重層コンデンサから構成されている。電気二重層コンデンサは一般に耐圧が低いので、３個の電気二重層コンデンサを直列にして全体としての耐圧を上げた。但し、直列に接続したのでは容量が減少するので、各電気二重層コンデンサに別途の電気二重層コンデンサを並列に接続して、容量を確保するようにした。なお、各電気二重層コンデンサの容量が均一になるように、バランサと呼ばれる抵抗を各電気二重層コンデンサに並列に接続している。
【００２０】
停電が発生したときにＬＥＤ２５が点灯するか否かをテストする場合、図示しないブレーカを落とせば簡単に擬似的に停電を発生させることができる。従って、ブレーカを落としてＬＥＤ２５が点灯すればテスト結果はＯＫである。但し、照明装置２を設置し、商用電源１に接続した直後では蓄電部２８に十分な電力が充電されていない。すなわち、実際に停電が発生することは希であるため、コスト低減のため充電回路２７の充電能力を低く設定し、蓄電部２８が完全に充電されるまで長時間を要する設計になっているからである。
【００２１】
ところが、照明装置２の設置業者は照明装置２を設置したあと、停電発生時にＬＥＤ２５が点灯することをすぐにテストできなければ、その工事現場に長時間拘束されることになる。そこで、昇圧回路２３の昇圧比よりも高い昇圧比のテスト用昇圧回路４１を設け、充電回路２７から出力される蓄電部２８の電力を昇圧回路２３とテスト用昇圧回路４１とに択一的に供給する切替部４を設けた。
【００２２】
この切替部４はテスト用スイッチ３が接続される昇圧切替回路３１によって切替制御されるものである。テスト用スイッチ３は押し操作されている間だけオンになるタイプで有り、テスト用スイッチ３が押し操作されると、昇圧切替回路３１は切替部４の状態を、充電回路２７からの電力がテスト用昇圧回路４１に供給される状態に切り替える。併せてブレーカを落として擬似的に停電を発生させると、蓄電部２８に少し充電されている電力がテスト用昇圧回路４１で昇圧され、昇圧定電流回路２４に供給されてＬＥＤ２５が点灯する。なお、その際のＬＥＤ２５の輝度は低くてよいので、輝度設定回路２６は電流値を低く設定する。
【００２３】
ただし、テスト用スイッチ３を押し操作してからブレーカを落とし、ＬＥＤ２５の点灯を確認できる位置まで移動するのに、少し時間を要する。そこで、昇圧切替回路３１はテスト用スイッチ３が押し操作されると、テスト用スイッチ３に対する押し操作が解除されても所定時間継続して、切替部４の切替状態を、テスト用昇圧回路４１に電力が供給される状態に保持するようにした。
【００２４】
ところで、蓄電部２８が十分に充電されている状態でテスト用スイッチ３が押し操作された場合にも、蓄電部２８の電力がテスト用昇圧回路４１に供給されるのは好ましくない。そこで、蓄電部２８の電圧が所定の電圧以上の場合には、例えテスト用スイッチ３が押し操作されても昇圧切替回路３１は切替部４の状態を、充電回路２７からの電力が昇圧回路２３に供給される状態のままで保持するようにした。
【００２５】
なお、本発明は上記した形態に限定されるものではなく、本発明の要旨を逸脱しない範囲内において種々の変更を加えてもかまわない。
【符号の説明】
【００２６】
１ 商用電源
２ 照明装置
３ テスト用スイッチ
１１ 壁スイッチ
２８ 蓄電部
【図１】
0006587928.tif 000002